(57)【要約】【課題】温度調節手段の導入コストを抑制した上で、作業環境の改善を図ること。【解決手段】洗浄室３０から空気を外部に導出した後に再び該洗浄室３０に導入し、かつその洗浄室３０に導入する空気から塵埃を除去するエアシャワユニット６０を設ける一方、作業室１０から外部に空気を送出し、かつその外部に送出する空気から塵埃を除去する除塵装置５０を設け、除塵装置５０を駆動することによって、洗浄室３０から前室２０を通じて該作業室１０に空気を誘導するようにした空気流通システムであって、エアシャワユニット６０が形成する空気の流通経路中に、この流通経路を通過する空気の温度を調節するヒートポンプ８０の蒸発器８５を設けている。【選択図】        図１
2009144968.tif 000002
【特許請求の範囲】
【請求項１】
作業対象エリアを密閉して作業室を構成し、かつこの作業室と連通する空間の途中に洗浄室を設けてなり、
前記洗浄室から空気を外部に導出した後に再び該洗浄室に導入し、かつその洗浄室に導入する空気から塵埃を除去するエアシャワユニットを設ける一方、
前記作業室から外部に空気を送出し、かつその外部に送出する空気から塵埃を除去する除塵装置を設け、
前記除塵装置を駆動することによって、前記洗浄室から前記作業室と連通する空間を通じて該作業室に空気を誘導するようにした空気流通システムであって、
前記エアシャワユニットが形成する空気の流通経路中に、この流通経路を通過する空気の温度を調節する温度調節手段を設けた
ことを特徴とする空気流通システム。
【請求項２】
前記洗浄室の静電気を中和するためのイオンを発生する除電手段をさらに備えたこと
を特徴とする請求項１に記載の空気流通システム。
【発明の詳細な説明】
【技術分野】
【０００１】
本発明は、空気流通システムに関するものである。
【背景技術】
【０００２】
従来、空気流通システムは、アスベストなどの飛散性が高い大気汚染物質を、建造物から除去する工事を行う場合に用いられている。この工事の作業対象エリアは、大気汚染物質の飛散防止のため密閉されることにより、外部雰囲気から隔離された作業室として構成されている。この作業室と連通する空間の途中には、洗浄室が設けられている。
【０００３】
空気流通システムは、洗浄室にエアシャワユニットを備えている。エアシャワユニットは、洗浄室から空気を外部に導出した後に再び洗浄室に導入し、かつその洗浄室に導入する空気から塵埃を除去するものである（例えば、特許文献１参照）。このエアシャワユニットを駆動することによって、作業室から退出する作業者に付着した大気汚染物質を除去している。
【０００４】
一方、空気流通システムは、作業室に除塵装置を備えている。除塵装置は、作業室から外部に空気を送出し、かつその外部に送出する空気から塵埃を除去するものである。この除塵装置を駆動することによって、洗浄室から作業室と連通する空間を通じて当該作業室に空気を誘導するとともに、作業室に飛散する大気汚染物質を除去している。
【０００５】
【特許文献１】特開平７−２９３９５６号公報
【発明の開示】
【発明が解決しようとする課題】
【０００６】
ところで、作業室は、大気汚染物質の飛散防止の観点などから、建造物の空調系統から遮断されることになる。そのため、例えば夏季において、作業室は酷暑となる。したがって、このような作業室で作業する作業者は、劣悪な作業環境を強いられることになり、これに伴い作業効率が低下していた。
【０００７】
こうした問題は、送風機と熱交換器とを有した空気調和装置を、温度調節手段として作業室に備えることで解決することが可能である。しかしながら、このような空気調和装置を導入する場合には、作業室の大きさに相応な能力を有する送風機と熱交換器とが必要になり、結果として作業室の大きさによっては導入コストが多大なものとなる虞れがある。
【０００８】
本発明は、上記に鑑みてなされたものであって、導入コストを抑制した上で、作業環境の改善を図ることができる空気流通システムの提供を目的とする。
【課題を解決するための手段】
【０００９】
上述した課題を解決し、目的を達成するために、本発明の請求項１にかかる空気流通システムは、作業対象エリアを密閉して作業室を構成し、かつこの作業室と連通する空間の途中に洗浄室を設けてなり、前記洗浄室から空気を外部に導出した後に再び該洗浄室に導入し、かつその洗浄室に導入する空気から塵埃を除去するエアシャワユニットを設ける一方、前記作業室から外部に空気を送出し、かつその外部に送出する空気から塵埃を除去する除塵装置を設け、前記除塵装置を駆動することによって、前記洗浄室から前記作業室と連通する空間を通じて該作業室に空気を誘導するようにした空気流通システムであって、前記エアシャワユニットが形成する空気の流通経路中に、この流通経路を通過する空気の温度を調節する温度調節手段を設けたことを特徴とする。
【００１０】
また、本発明の請求項２にかかる空気流通システムは、前述した請求項１において、前記洗浄室の静電気を中和するためのイオンを発生する除電手段をさらに備えたことを特徴とする。
【発明の効果】
【００１１】
本発明にかかる空気流通システムは、エアシャワユニットが形成する空気の流通経路中に、この流通経路を通過する空気の温度を調節する温度調節手段を設けて構成してある。このため、除塵装置を駆動すれば、温度調節手段によって温度を調節された空気が、洗浄室から作業室と連通する空間を通じて当該作業室に誘導されることになる。これにより、例えば夏季において、温度調節手段を冷却運転すれば、作業室の作業環境を大幅に改善できることになり、これに伴い作業効率の低下を防止することができる。しかも、温度を調節する対象が洗浄室の空気であるため、温度調節手段には洗浄室の大きさに対応する能力があればよく、作業室の大きさによらず、温度調節手段の導入コストを抑制することができる。
【発明を実施するための最良の形態】
【００１２】
以下に、本発明にかかる空気流通システムの実施の形態を図面に基づいて詳細に説明する。
【００１３】
図１は、本発明にかかる空気流通システムの実施の形態を示す平面概念図である。ここで例示する空気流通システムは、アスベストなどの飛散性が高い大気汚染物質を、建造物の作業対象エリアから除去する工事を行う場合に用いられるものである。この作業対象エリアは、例えば、除去すべきアスベストが断熱材として吹付けられた直方状の空間であり、アスベストの飛散防止のためプラスチックシートなどを用いて密閉することにより、外部雰囲気から隔離した作業室１０として構成してある。この作業室１０と連通する空間には、前室２０、洗浄室３０および更衣室４０が設けてある。
【００１４】
前室２０は、作業室１０と、後述する洗浄室３０との間に介在する直方状の空間である。この前室２０は、開き戸１１を開成した場合に、作業室１０と往来可能に構成してある。
【００１５】
洗浄室３０は、作業室１０から退出する人に付着した大気汚染物質を除去するための直方状の空間であり、前室２０と、後述する更衣室４０との間に設けてある。この洗浄室３０は、開き戸２１を開成した場合に、前室２０と往来可能に構成してある一方、開き戸３１を開成した場合に、更衣室４０と往来可能に構成してある。
【００１６】
更衣室４０は、例えば、作業室１０で作業する作業者が、所定の保護衣に着替えるための直方状の空間である。この更衣室４０は、開き戸４１を開成した場合に、外部と往来可能に構成してある。
【００１７】
本実施の形態では、開き戸１１，２１，３１，４１は、作業室１０、前室２０、洗浄室３０および更衣室４０の密閉性を確保するものではなく、閉成している場合にも隣接する空間でそれぞれ空気の流通が可能となるように構成してある。
【００１８】
ここで、空気流通システムは、図１に示すように、作業室１０の隅に除塵装置５０を備えている。除塵装置５０は、作業室１０から外部に空気を送出し、かつその外部に送出する空気から塵埃を除去するもので、図１に示すように、装置筐体５１の内部にファン５２、フィルタ５３およびダクト５４を有している。
【００１９】
ファン５２は、モータ５２ａを駆動した場合に、装置筐体５１に設けた吸気口５１ａおよびダクト５４を通じて作業室１０から外部に空気を送出するものである。フィルタ５３は、ファン５２が外部に送出する空気の通過を許容する一方、その通過する空気に含まれるアスベストなどの大気汚染物質の通過を阻止するもので、ダクト５４を閉塞する態様で配設してある。ダクト５４は、装置筐体５１内と外部とで空気を流通させるための管材である。
【００２０】
また、空気流通システムは、図１に示すように、洗浄室３０にエアシャワユニット６０を備えている。エアシャワユニット６０は、洗浄室３０から空気を外部に導出した後に再び洗浄室３０に導入し、かつその洗浄室に導入する空気から塵埃を除去するもので、図２に示すように、ユニット筐体６１に設けた複数の噴出口６１ａおよび吸気口６１ｂが洗浄室３０内に位置するように配設してある。このエアシャワユニット６０は、図２に示すように、ユニット筐体６１の内部にファン６２およびフィルタ６３有している。
【００２１】
ファン６２は、モータ６２ａを駆動した場合に、ユニット筐体６１の吸気口６１ｂを通じて洗浄室３０から空気をユニット筐体６１に吸入した後に、その吸入した空気をユニット筐体６１内部および複数の噴出口６１ａを通じて洗浄室３０に噴出するものである。フィルタ６３は、ファン６２が洗浄室３０に噴出する空気の通過を許容する一方、その通過する空気に含まれるアスベストなどの大気汚染物質の通過を阻止するもので、ユニット筐体６１の複数の噴出口６１ａを閉塞する態様で配設してある。本実施の形態では、作業室１０からアスベストを除去する工事を行う間、継続してモータ６２ａを駆動し、ファン６２を動作させるように構成してある。
【００２２】
さらに、空気流通システムは、図２に示すように、洗浄室３０に除電器７０を備えている。除電器７０は、洗浄室３０の静電気を中和するためのイオンを発生する除電手段であり、図２に示すように、洗浄室３０の天井部３２に配設してある。この除電器７０は、図２に示すように、イオンセンサ７１を有している。
【００２３】
イオンセンサ７１は、洗浄室３０の静電気の電荷量および極性を検出するための検出手段である。本実施の形態では、除電器７０として、所定量の陽イオンおよび陰イオンを発生するものを適用している。
【００２４】
また、空気流通システムは、図１に示すように、エアシャワユニット６０にヒートポンプ８０が付設してある。ヒートポンプ８０は、図２に示すように、圧縮機８２、凝縮器８３、四方弁８４および蒸発器８５を有している。
【００２５】
圧縮機８２、凝縮器８３および四方弁８４は、箱状筐体であるヒートポンプ本体８１の内部に収容してある。一方、蒸発器８５は、エアシャワユニット６０が形成する空気の流通経路中に、この流通経路を通過する空気の温度を調節する温度調節手段として設けてある。つまり、蒸発器８５は、ユニット筐体６１の内部において、ファン６２の空気の噴出経路上に配置してある。また、四方弁８４と蒸発器８５とは、冷媒管８６を介して接続してある。この冷媒管８６と蒸発器８５とは、継手部８７で着脱可能に接続してある。このヒートポンプ８０は、圧縮機８２、凝縮器８３、四方弁８４および蒸発器８５の間で冷媒を循環する冷凍サイクルを構成し、蒸発器８５を温度調節手段として、当該蒸発器８５の周囲空気を冷却するように構成してある。さらに、本実施の形態では、四方弁８４として、開成した場合に蒸発器８５への冷媒の流通を許容する一方、閉成した場合に蒸発器８５への冷媒の流通を阻止し、かつ冷媒を一方向にのみ流通するものを適用している。
【００２６】
図３は、図１に示した空気流通システムの制御系を示すブロック図である。空気流通システムは、図３に示すように、その制御系の一つとして制御手段９０を備えている。制御手段９０は、除塵装置５０の近傍に設けた温度センサＳ（図１参照）およびイオンセンサ７１の検出結果に基づいて、ヒートポンプ８０の四方弁８４および除電器７０の動作を制御するもので、図３に示すように、温度調節制御部９１および除電制御部９２を有している。
【００２７】
温度調節制御部９１は、温度センサＳの検出温度が、予め決められた設定温度よりも大きい値の場合に、ヒートポンプ８０の四方弁８４を開成する一方、予め決められた設定温度以下の値の場合に、ヒートポンプ８０の四方弁８４を閉成するためのものである。
【００２８】
除電制御部９２は、イオンセンサ７１が検出する静電気の電荷量および極性に基づき、静電気を中和（除去）させるべく検出した極性と反対極性となるイオンを発生するように、除電器７０を制御するためのものである。
【００２９】
以下、上述した空気流通システムの動作について説明する。この空気流通システムでは、除塵装置５０のモータ５２ａを駆動し、ファン５２を動作させると、作業室１０から外部に空気が送出されることになる。外部に送出される空気にアスベストが含まれていても、除塵装置５０のフィルタ５３により外部への通過が阻止されることになる。したがって、作業室１０からアスベストを除去する工事を行う間、継続して除塵装置５０のモータ５２ａを駆動し、ファン５２を動作させることにより、作業室１０に飛散するアスベストを除去することができる。また、この状態では、作業室１０の圧力が低くなるため、図１中の矢印で示すように、外部から前室２０、洗浄室３０および更衣室４０を通じて作業室１０に空気が誘導されることになる。したがって、作業室１０から外部に流出する空気は、必ず除塵装置５０のフィルタ５３を通過することになり、アスベストの外部への流出を防止することができる。
【００３０】
ここで、除塵装置５０が何らかの事由により停止した場合にも、エアシャワユニット６０は、洗浄室３０から空気をユニット筐体６１に吸入した後に、その吸入した空気を洗浄室３０に噴出するものであるため、洗浄室３０の圧力が高くなることはない。したがって、このような場合にも、作業室１０、前室２０および更衣室４０の圧力が外気圧よりも高くなることはなく、外部にアスベストを流出することがない。
【００３１】
一方、上記のように構成した空気流通システムでは、エアシャワユニット６０のモータ６２ａを駆動し、ファン６２を動作させると、ユニット筐体６１の内部と洗浄室３０とで空気が循環することになる。この状態で、洗浄室３０に作業室１０から退出した人が進入すると、この人に付着したアスベストが、エアシャワユニット６０の複数の噴出口６１ａを通じて噴出される空気により吹き飛ばされることになる。吹き飛ばされたアスベストは、やがてエアシャワユニット６０の吸気口６１ｂを通じてユニット筐体６１に空気と一緒に吸入された後に、フィルタ６３により洗浄室３０への通過が阻止されることになる。したがって、アスベストを洗浄室３０の空気および作業室１０から退出した人の除去することができ、この人に付着していたアスベストの外部への流出を防止することができる。
【００３２】
さらに、上記のように構成した空気流通システムでは、制御手段９０は、イオンセンサ７１が検出する静電気が所定の電荷量以下の値の場合に、除電制御部９２を通じて、除電器７０でのイオンの発生を停止させる。一方、制御手段９０は、イオンセンサ７１が作業室１０から退出した人から検出する静電気が所定の電荷量よりも大きい値の場合には、除電制御部９２を通じて、静電気を中和（除去）させるべく検出した極性と反対極性となるイオンを除電器７０で発生させることになる。除電器７０が発生するイオンは、エアシャワユニット６０の複数の噴出口６１ａを通じて噴出される空気により、作業室１０から退出した人に吹き付けられることになる。したがって、静電気が中和されることになり、静電気により付着したアスベストの除去を容易にすることができる。
【００３３】
また、上記のように構成した空気流通システムでは、制御手段９０は、温度センサＳの検出温度が予め決められた設定温度以下の値の場合に、温度調節制御部９１を通じて、ヒートポンプ８０の四方弁８４を閉成する。この場合、圧縮機８２、凝縮器８３、四方弁８４および蒸発器８５の間で冷媒が循環することはなく、蒸発器８５の周囲空気が冷却されることがない。一方、制御手段９０は、温度センサＳの検出温度が予め決められた設定温度よりも大きい値の場合には、温度調節制御部９１を通じて、ヒートポンプ８０の四方弁８４を開成することになる。ヒートポンプ８０の四方弁８４を開成すると、圧縮機８２、凝縮器８３、四方弁８４および蒸発器８５の間で冷媒が循環する冷凍サイクルが構成されることなり、蒸発器８５で当該蒸発器８５の周囲空気が冷却されることになる。そのため、エアシャワユニット６０のモータ６２ａを駆動し、ファン６２を動作させることにより、ユニット筐体６１の内部と洗浄室３０とで空気が、冷却されながら循環することになる。したがって、洗浄室３０の空気を冷却することができる。さらに、この冷却された洗浄室３０の空気は、除塵装置５０のモータ５２ａを駆動し、ファン５２を動作させることにより、前室２０を通じて作業室１０に誘導されることになる。これにより、例えば夏季において、作業室１０の作業環境を大幅に改善できることになり、酷暑による作業効率の低下を防止することができる。
【００３４】
しかも、温度調節手段の温度を調節する対象が、エアシャワユニット６０のユニット筐体６１の内部と洗浄室３０とで循環する空気であるため、ヒートポンプ８０の蒸発器８５には洗浄室３０の大きさに対応する能力があればよく、作業室１０の大きさによらず、温度調節手段の導入コストを抑制することができる。さらには、エアシャワユニット６０が形成する空気の流通経路中に、ヒートポンプ８０の蒸発器８５を設けたため、送風機を備える必要がなく、温度調節手段として空気調和設備を備える場合と比較して、コストを抑制することができる。
【００３５】
なお、本実施の形態では、除電器７０を洗浄室３０の天井部３２に配設しているが、必ずしも天井部３２に配設しなくても良い。例えば、除電器７０をエアシャワユニット６０の複数の噴出口６１ａ近傍に配設しても良い。
【００３６】
また、本実施の形態では、四方弁８４と蒸発器８５とを、冷媒管８６を介して接続して構成したヒートポンプ８０を例示しているが、必ずしも冷媒管８６で接続しなくても良い。例えば、圧縮機８２、凝縮器８３、四方弁８４および蒸発器８５を、冷媒管８６を用いずに一体的に構成したパッケージ型のヒートポンプ８０であっても良い。
【００３７】
さらに、本実施の形態では、温度センサＳを除塵装置５０の近傍に設けているが、必ずしも除塵装置５０の近傍に設けなくても良い。例えば、作業室１０の空間の形状などから判断し、作業室１０において最も温度が高くなる位置に設けても良い。
【００３８】
また、本実施の形態では、圧縮機８２、凝縮器８３、四方弁８４および蒸発器８５の間で冷媒を循環する冷凍サイクルを構成し、蒸発器８５で当該蒸発器８５の周囲空気を冷却するように構成したヒートポンプ８０を例示しているが、蒸発器８５を凝縮器として構成し、その凝縮器の周囲空気を加熱するようにしたヒートポンプ８０であっても良い。この場合、作業室１０の空間の形状などから判断し、温度センサＳを作業室１０において最も温度が低くなる位置に設けても良い。
【産業上の利用可能性】
【００３９】
空気流通システムに有用であり、特に、大気汚染物質を建造物から除去する工事を行う場合の作業環境に配慮した空気流通システムに適している。
【図面の簡単な説明】
【００４０】
【図１】本発明にかかる空気流通システムの実施の形態を示す平面概念図である。
【図２】図１におけるＡ−Ａ線断面図である。
【図３】図１に示した空気流通システムの制御系を示すブロック図である。
【符号の説明】
【００４１】
１０  作業室
１１  開き戸
２０  前室
２１  開き戸
３０  洗浄室
３１  開き戸
４０  更衣室
４１  開き戸
５０  除塵装置
５１  装置筐体
５２  ファン
５３  フィルタ
５４  ダクト
６０  エアシャワユニット
６１  ユニット筐体
６２  ファン
６３  フィルタ
７０  除電器
８０  ヒートポンプ
８１  ヒートポンプ本体
８２  圧縮機
８３  凝縮器
８４  四方弁
８５  蒸発器（温度調節手段）
９０  制御手段
９１  温度調節制御部
９２  除電制御部
【図１】
2009144968.tif 000003
【図２】
2009144968.tif 000004
【図３】
2009144968.tif 000005